(57)【要約】【課題】設備機器の初期設定が正確に為されるよう、初期設定を行う作業者が設備機器の管理ネットワーク上の識別情報を容易に認識できるようにする。【解決手段】空調機５０ａ，５０ｂ，・・・の遠隔管理システム１は、リモコン７０ａ，７０ｂ，・・・と、初期設定ツール６０とを備える。リモコン７０ａ，７０ｂ，・・・は、それぞれ空調機５０ａ，５０ｂ，・・・の運転指令の入力を受け付けるものである。リモコン７０ａ，７０ｂ，・・・は、それぞれ空調機５０ａ，５０ｂ，・・・に系統アドレスを付与する機能を有している。初期設定ツール６０は、空調機５０ａ，５０ｂ，・・・から系統アドレスを取得し、取得した系統アドレスを表示部６３上に表示しつつ、空調機５０ａ，５０ｂ，・・・の機器名称の入力を受け付け、入力された機器名称を空調機５０ａ，５０ｂ，・・・に関連付けて登録する。【選択図】図１
2009088786.tif 000002
【特許請求の範囲】
【請求項１】
設備機器（５０ａ，５０ｂ，・・・）の運転指令の入力を受け付けるリモコン（７０ａ，７０ｂ，・・・）と、
前記設備機器の初期設定を行う初期設定装置（６０）と、
を備え、
前記リモコンは、
前記設備機器に前記設備機器の識別情報を付与する付与部（７２）、
を有し、
前記初期設定装置は、
前記設備機器から前記識別情報を取得する取得部（６１）と、
前記識別情報を表示しつつ、前記設備機器に関連する登録情報の入力を受け付ける登録受付部（６３，６４）と、
前記登録情報を前記設備機器に関連付けて登録する登録部（６２）と、
を有する、
設備機器の初期設定システム。
【請求項２】
前記リモコン（７０ａ，７０ｂ，・・・）は、
前記識別情報を表示する表示部（７３）、
をさらに有する、
請求項１に記載の設備機器の初期設定システム。
【請求項３】
設備機器（５０ａ，５０ｂ，・・・）の運転指令の入力を受け付けるリモコン（７０ａ，７０ｂ，・・・）と、
前記設備機器の初期設定を行う初期設定装置（６０）と、
を備え、
前記リモコンは、
前記設備機器から前記設備機器の識別情報を取得する第１取得部（７１）と、
前記識別情報を表示する第１表示部（７３）と、
を有し、
前記初期設定装置は、
前記設備機器から前記識別情報を取得する第２取得部（６１）と、
前記識別情報を表示しつつ、前記設備機器に関連する登録情報の入力を受け付ける登録受付部（６３，６４）と、
前記登録情報を前記設備機器に関連付けて登録する登録部（６２）と、
を有する、
設備機器の初期設定システム。
【請求項４】
前記登録情報は、前記設備機器（５０ａ，５０ｂ，・・・）の機器名称である、
請求項１から３のいずれかに記載の設備機器の初期設定システム。
【請求項５】
設備機器（５０ａ，５０ｂ，・・・）の運転指令の入力を受け付ける指令受付部（７４）と、
前記設備機器に前記設備機器の識別情報を付与する付与部（７２）と、
を備える、
設備機器のリモコン（７０ａ，７０ｂ，・・・）。
【請求項６】
前記識別情報を表示する表示部（７３）、
をさらに備える、
請求項５に記載の設備機器のリモコン（７０ａ，７０ｂ，・・・）。
【請求項７】
設備機器（５０ａ，５０ｂ，・・・）の運転指令の入力を受け付ける指令受付部（７４）と、
前記設備機器から前記設備機器の識別情報を取得する取得部（７１）と、
前記識別情報を表示する表示部（７３）と、
を備える、
設備機器のリモコン（７０ａ，７０ｂ，・・・）。
【請求項８】
第１設備機器と、
前記第１設備機器の運転指令の入力を受け付ける第１リモコンと、
第２設備機器と、
前記第２設備機器の運転指令の入力を受け付ける第２リモコンと、
前記第１設備機器および前記第２設備機器の初期設定を行う初期設定装置と、
を備え、
前記第１リモコンは、
前記第１設備機器に前記第１設備機器の第１識別情報を付与する第１付与部、
を有し、
前記第２リモコンは、
前記第２設備機器に前記第２設備機器の第２識別情報を付与する第２付与部、
を有し、
前記初期設定装置は、
前記第１設備機器から前記第１識別情報を取得し、前記第２設備機器から前記第２識別情報を取得する取得部と、
前記第１識別情報を表示しつつ、前記第１設備機器に関連する第１登録情報の入力を受け付け、前記第２識別情報を表示しつつ、前記第２設備機器に関連する第２登録情報の入力を受け付ける登録受付部と、
前記第１登録情報を前記第１設備機器に関連付けて登録し、前記第２登録情報を前記第２設備機器に関連付けて登録する登録部と、
を有する、
設備機器の初期設定システム。
【請求項９】
第１設備機器と、
前記第１設備機器の運転指令の入力を受け付ける第１リモコンと、
第２設備機器と、
前記第２設備機器の運転指令の入力を受け付ける第２リモコンと、
前記第１設備機器および前記第２設備機器の初期設定を行う初期設定装置と、
を備え、
前記第１リモコンは、
前記第１設備機器から前記第１設備機器の第１識別情報を取得する第１取得部と、
前記第１識別情報を表示する第１表示部と、
を有し、
前記第２リモコンは、
前記第２設備機器から前記第２設備機器の第２識別情報を取得する第２取得部と、
前記第２識別情報を表示する第２表示部と、
を有し、
前記初期設定装置は、
前記第１設備機器から前記第１識別情報を取得し、前記第２設備機器から前記第２識別情報を取得する第３取得部と、
前記第１識別情報を表示しつつ、前記第１設備機器に関連する第１登録情報の入力を受け付け、前記第２識別情報を表示しつつ、前記第２設備機器に関連する第２登録情報の入力を受け付ける登録受付部と、
前記第１登録情報を前記第１設備機器に関連付けて登録し、前記第２登録情報を前記第２設備機器に関連付けて登録する登録部と、
を有する、
設備機器の初期設定システム。
【発明の詳細な説明】
【技術分野】
【０００１】
本発明は、設備機器の初期設定システムおよび設備機器のリモコンに関する。
【背景技術】
【０００２】
従来より、空調機等の設備機器を管理ネットワーク経由で管理する機器管理サービスが利用されている（例えば、特許文献１）。このようなサービスを実施するためには、機器名称等の設備機器に関する基本的な情報を、管理ネットワークに含まれる機器管理装置等に予め登録しておく必要がある。そして、かかる初期設定時には、設備機器の管理ネットワーク上の識別情報を作業者が正しく認識している必要がある。
【特許文献１】特開２００７−１５９１４９号公報
【発明の開示】
【発明が解決しようとする課題】
【０００３】
しかしながら、必ずしも、初期設定時にこのような識別情報が作業者に分かり易く提示されるとは限らない。例えば、このような識別情報として、設備機器のネットワークアダプタのＭＡＣアドレスが用いられる場合を考える。ネットワークアダプタには通常ＭＡＣアドレスが記されているが、ネットワークアダプタ自体が設備機器のケーシングの内部などの視認しにくい位置に取り付けられてしまうと、作業者はＭＡＣアドレスを容易に確認することができない。このような場合、設備機器の初期設定が誤って行われてしまう虞がある。
【０００４】
本発明の課題は、設備機器の初期設定が正確に為されるよう、初期設定を行う作業者が設備機器の管理ネットワーク上の識別情報を容易に認識できるようにすることにある。
【課題を解決するための手段】
【０００５】
第１発明に係る設備機器の初期設定システムは、リモコンと、初期設定装置とを備える。リモコンは、設備機器の運転指令の入力を受け付ける。初期設定装置は、設備機器の初期設定を行う。リモコンは、付与部を有する。付与部は、設備機器に設備機器の識別情報を付与する。初期設定装置は、取得部と、登録受付部と、登録部とを有する。取得部は、設備機器から設備機器の識別情報を取得する。登録受付部は、設備機器の識別情報を表示しつつ、設備機器に関連する登録情報の入力を受け付ける。登録部は、登録情報を設備機器に関連付けて登録する。
【０００６】
設備機器のリモコンは利用者が当該設備機器に運転指令を与えるためのものであるから、リモコンと設備機器とは必ず利用者に分かるような態様で対応付けられている。第１発明に係る設備機器の初期設定システムでは、リモコンから設備機器に、設備機器の管理ネットワーク上の識別情報を付与できるようになっている。そして、リモコンが付与した識別情報は、設備機器に関する登録情報の入力を受け付ける初期設定装置に取得され表示される。なお、初期設定装置とは、初期設定時にのみ管理ネットワークに接続される装置であってもよいし、設備機器の管理目的で日常的に管理ネットワークに接続される装置であってもよい。したがって、設備機器の初期設定を行う作業者は、設備機器の管理ネットワーク上の識別情報をリモコンを介して容易に認識し、設備機器の初期設定を正しく行うことができる。
【０００７】
第２発明に係る設備機器の初期設定システムは、第１発明に係る初期設定システムであって、リモコンは、表示部をさらに有する。表示部は、設備機器の識別情報を表示する。
【０００８】
この設備機器の初期設定システムでは、リモコンが設備機器に付与した識別情報がリモコンの表示部に表示される。したがって、作業者はリモコンが設備機器に付与した識別情報を容易に知ることができる。
【０００９】
第３発明に係る設備機器の初期設定システムは、リモコンと、初期設定装置とを備える。リモコンは、設備機器の運転指令の入力を受け付ける。初期設定装置は、設備機器の初期設定を行う。リモコンは、第１取得部と、第１表示部とを有する。第１取得部は、設備機器から設備機器の識別情報を取得する。第１表示部は、設備機器の識別情報を表示する。初期設定装置は、第２取得部と、登録受付部と、登録部とを有する。第２取得部は、設備機器から設備機器の識別情報を取得する。登録受付部は、設備機器の識別情報を表示しつつ、設備機器に関連する登録情報の入力を受け付ける。登録部は、登録情報を設備機器に関連付けて登録する。
【００１０】
設備機器のリモコンは利用者が当該設備機器に運転指令を与えるためのものであるから、リモコンと設備機器とは必ず利用者に分かるような態様で対応付けられている。第３発明に係る設備機器の初期設定システムでは、リモコンが、設備機器の管理ネットワーク上の識別情報を設備機器から取得して表示できるようになっている。また、設備機器に関する登録情報の入力を受け付ける初期設定装置も、設備機器の管理ネットワーク上の識別情報を設備機器から取得して表示できるようになっている。なお、初期設定装置とは、初期設定時にのみ管理ネットワークに接続される装置であってもよいし、設備機器の管理目的で日常的に管理ネットワークに接続される装置であってもよい。したがって、設備機器の初期設定を行う作業者は、設備機器の管理ネットワーク上の識別情報をリモコンを介して容易に認識し、設備機器の初期設定を正しく行うことができる。
【００１１】
第４発明に係る設備機器の初期設定システムは、第１発明から第３発明のいずれかに係る初期設定システムであって、登録情報は、設備機器の機器名称である。
【００１２】
この設備機器の初期設定システムでは、作業者が設備機器の機器名称を正しく設定することができる。
【００１３】
第５発明に係る設備機器のリモコンは、指令受付部と、付与部とを備える。指令受付部は、設備機器の運転指令の入力を受け付ける。付与部は、設備機器に設備機器の識別情報を付与する。
【００１４】
設備機器のリモコンは利用者が当該設備機器に運転指令を与えるためのものであるから、リモコンと設備機器とは必ず利用者に分かるような態様で対応付けられている。第５発明では、リモコンから設備機器に、設備機器の管理ネットワーク上の識別情報を付与できるようになっている。したがって、設備機器の初期設定を行う作業者は、設備機器の管理ネットワーク上の識別情報をリモコンを介して容易に認識し、設備機器の初期設定を正しく行うことができる。
【００１５】
第６発明に係る設備機器のリモコンは、第５発明に係るリモコンであって、表示部をさらに備える。表示部は、設備機器の識別情報を表示する。
【００１６】
第６発明では、リモコンが設備機器に付与した識別情報がリモコンの表示部に表示される。したがって、作業者はリモコンが設備機器に付与した識別情報を容易に知ることができる。
【００１７】
第７発明に係る設備機器のリモコンは、指令受付部と、取得部と、表示部とを備える。指令受付部は、設備機器の運転指令の入力を受け付ける。取得部は、設備機器から設備機器の識別情報を取得する。表示部は、設備機器の識別情報を表示する。
【００１８】
設備機器のリモコンは利用者が当該設備機器に運転指令を与えるためのものであるから、リモコンと設備機器とは必ず利用者に分かるような態様で対応付けられている。第７発明では、リモコンが、設備機器の管理ネットワーク上の識別情報を設備機器から取得して表示できるようになっている。したがって、設備機器の初期設定を行う作業者は、設備機器の管理ネットワーク上の識別情報をリモコンを介して容易に認識し、設備機器の初期設定を正しく行うことができる。
【００１９】
第８発明に係る設備機器の初期設定システムは、第１設備機器と、第１リモコンと、第２設備機器と、第２リモコンと、初期設定装置とを備える。第１リモコンは、第１設備機器の運転指令の入力を受け付ける。第２リモコンは、第２設備機器の運転指令の入力を受け付ける。初期設定装置は、第１設備機器および第２設備機器の初期設定を行う。第１リモコンは、第１付与部を有する。第１付与部は、第１設備機器に第１設備機器の第１識別情報を付与する。第２リモコンは、第２付与部を有する。第２付与部は、第２設備機器に第２設備機器の第２識別情報を付与する。初期設定装置は、取得部と、登録受付部と、登録部とを有する。取得部は、第１設備機器から第１識別情報を取得し、第２設備機器から第２識別情報を取得する。登録受付部は、第１識別情報を表示しつつ、第１登録情報の入力を受け付け、第２識別情報を表示しつつ、第２登録情報の入力を受け付ける。第１登録情報は、第１設備機器に関連する情報である。第２登録情報は、第２設備機器に関連する情報である。登録部は、第１登録情報を第１設備機器に関連付けて登録し、第２登録情報を第２設備機器に関連付けて登録する。
【００２０】
設備機器のリモコンは利用者が当該設備機器に運転指令を与えるためのものであるから、リモコンと設備機器とは必ず利用者に分かるような態様で対応付けられている。第８発明に係る設備機器の初期設定システムでは、リモコンから設備機器に、設備機器の管理ネットワーク上の識別情報を付与できるようになっている。そして、リモコンが付与した識別情報は、設備機器に関する登録情報の入力を受け付ける初期設定装置に取得され表示される。なお、初期設定装置とは、初期設定時にのみ管理ネットワークに接続される装置であってもよいし、設備機器の管理目的で日常的に管理ネットワークに接続される装置であってもよい。したがって、設備機器の初期設定を行う作業者は、設備機器の管理ネットワーク上の識別情報をリモコンを介して容易に認識し、設備機器の初期設定を正しく行うことができる。
【００２１】
第９発明に係る設備機器の初期設定システムは、第１設備機器と、第１リモコンと、第２設備機器と、第２リモコンと、初期設定装置とを備える。第１リモコンは、第１設備機器の運転指令の入力を受け付ける。第２リモコンは、第２設備機器の運転指令の入力を受け付ける。初期設定装置は、第１設備機器および第２設備機器の初期設定を行う。第１リモコンは、第１取得部と、第１表示部とを有する。第１取得部は、第１設備機器から第１設備機器の第１識別情報を取得する。第１表示部は、第１識別情報を表示する。第２リモコンは、第２取得部と、第２表示部とを有する。第２取得部は、第２設備機器から第２設備機器の第２識別情報を取得する。第２表示部は、第２識別情報を表示する。初期設定装置は、第３取得部と、登録受付部と、登録部とを有する。第３取得部は、第１設備機器から第１識別情報を取得し、第２設備機器から第２識別情報を取得する。登録受付部は、第１識別情報を表示しつつ、第１登録情報の入力を受け付け、第２識別情報を表示しつつ、第２登録情報の入力を受け付ける。第１識別情報は、第１設備機器に関連する情報である。第２登録情報は、第２設備機器に関連する情報である。登録部は、第１登録情報を第１設備機器に関連付けて登録し、第２登録情報を第２設備機器に関連付けて登録する。
【００２２】
設備機器のリモコンは利用者が当該設備機器に運転指令を与えるためのものであるから、リモコンと設備機器とは必ず利用者に分かるような態様で対応付けられている。第９発明に係る設備機器の初期設定システムでは、リモコンが、設備機器の管理ネットワーク上の識別情報を設備機器から取得して表示できるようになっている。また、設備機器に関する登録情報の入力を受け付ける初期設定装置も、設備機器の管理ネットワーク上の識別情報を設備機器から取得して表示できるようになっている。なお、初期設定装置とは、初期設定時にのみ管理ネットワークに接続される装置であってもよいし、設備機器の管理目的で日常的に管理ネットワークに接続される装置であってもよい。したがって、設備機器の初期設定を行う作業者は、設備機器の管理ネットワーク上の識別情報をリモコンを介して容易に認識し、設備機器の初期設定を正しく行うことができる。
【発明の効果】
【００２３】
第１発明に係る設備機器の初期設定システムでは、設備機器の初期設定を行う作業者が、設備機器の管理ネットワーク上の識別情報をリモコンを介して容易に認識し、設備機器の初期設定を正しく行うことができる。
【００２４】
第２発明に係る設備機器の初期設定システムでは、作業者がリモコンが設備機器に付与した識別情報を容易に知ることができる。
【００２５】
第３発明に係る設備機器の初期設定システムでは、設備機器の初期設定を行う作業者が、設備機器の管理ネットワーク上の識別情報をリモコンを介して容易に認識し、設備機器の初期設定を正しく行うことができる。
【００２６】
第４発明に係る設備機器の初期設定システムでは、作業者が設備機器の機器名称を正しく設定することができる。
【００２７】
第５発明に係る設備機器のリモコンでは、設備機器の初期設定を行う作業者が、設備機器の管理ネットワーク上の識別情報をリモコンを介して容易に認識し、設備機器の初期設定を正しく行うことができる。
【００２８】
第６発明に係る設備機器のリモコンでは、作業者がリモコンが設備機器に付与した識別情報を容易に知ることができる。
【００２９】
第７発明に係る設備機器のリモコンでは、設備機器の初期設定を行う作業者が、設備機器の管理ネットワーク上の識別情報をリモコンを介して容易に認識し、設備機器の初期設定を正しく行うことができる。
【００３０】
第８発明に係る設備機器の初期設定システムでは、設備機器の初期設定を行う作業者が、設備機器の管理ネットワーク上の識別情報をリモコンを介して容易に認識し、設備機器の初期設定を正しく行うことができる。
【００３１】
第９発明に係る設備機器の初期設定システムでは、設備機器の初期設定を行う作業者が、設備機器の管理ネットワーク上の識別情報をリモコンを介して容易に認識し、設備機器の初期設定を正しく行うことができる。
【発明を実施するための最良の形態】
【００３２】
以下、図面を参照して、本発明の第１および第２実施形態に係る空調機５０ａ，５０ｂ，・・・（設備機器）の遠隔管理システム１（初期設定システム）について説明する。
【００３３】
＜第１実施形態＞
〔全体構成〕
図１に、遠隔管理システム１の全体構成を示す。遠隔管理システム１は、遠隔管理センタ３に設置されている遠隔管理サーバ３０から物件２に設置されている複数の空調機５０ａ，５０ｂ，・・・を管理するシステムである。空調機５０ａ，５０ｂ，・・・と遠隔管理サーバ３０とは、インターネット６を介して相互に通信可能になっている。
【００３４】
物件２には、インターネット６と、物件２内に施設されているローカルエリアネットワーク（以下、ＬＡＮ）５ａとを中継するルータ４０が設置されている。ＬＡＮ５ａは、イーサネット（登録商標）に対応している。ＬＡＮ５ａに接続されている初期設定ツール６０は、空調機５０ａ，５０ｂ，・・・の初期設定を行うツールである。ＬＡＮ５ａには、空調機５０ａ，５０ｂ，・・・や初期設定ツール６０の他、物件２内で使用されるパソコン等の機器（図示されない）も接続可能である。
【００３５】
なお、簡単のために、図１においては物件２が１つしか示されていないが、実際には、遠隔管理システム１は、複数の物件２に設置されている空調機５０ａ，５０ｂ，・・・を管理しているものとする。
【００３６】
〔空調機〕
図１に示すように、空調機５０ａ，５０ｂ，・・・は、それぞれ空調機本体１０ａ，１０ｂ，・・・と、リモコン７０ａ，７０ｂ，・・・と、空調機本体１０ａ，１０ｂ，・・・をＬＡＮ５ａに接続するためのアダプタ２０ａ，２０ｂ，・・・とを有している。空調機本体１０ａ，１０ｂ，・・・とリモコン７０ａ，７０ｂ，・・・とアダプタ２０ａ，２０ｂ，・・・とは、１対１で接続されている。
【００３７】
以下、図２を参照して、空調機５０ａの構成を説明するが、その他の空調機５０ｂ，・・・も、空調機５０ａと同様の構成を有しているものとする。
【００３８】
ａ）空調機本体
空調機本体１０ａは、図示されない室外機と、当該室外機に冷媒配管を介して接続される１または複数の室内機とを有しており、全体として、図示されない圧縮機や熱交換器等から構成される冷媒回路を有する１の系統を形成している。１または複数の室内機のうち、親機となる室内機のケーシング内の所定の位置には、アダプタ２０ａが取り外し可能な態様で取り付けられている。このため、アダプタ２０ａにはＭＡＣアドレスの記されたシールが貼られているものの、当該ＭＡＣアドレスは外部から視認できないようになっている。なお、空調機本体１０ａの室内機は、天井埋め込み型の室内機となっている。
【００３９】
空調機本体１０ａには、各種センサ１２ａ，１２ｂ，１２ｃ，１２ｄ，１２ｅ，・・・が取り付けられている。センサ１２ａは、空調機本体１０ａに含まれる親機となる室内機の設置されている部屋の温度を検出する。センサ１２ｂは、空調機本体１０ａに含まれる室外機の設置されている物件２付近の外気の温度を検出する。センサ１２ｃは、空調機本体１０ａに含まれる圧縮機（図示されない）の吐出管における冷媒の温度を検出する。センサ１２ｄは、空調機本体１０ａに含まれる圧縮機（図示されない）の吐出管における冷媒の圧力を検出する。センサ１２ｅは、空調機本体１０ａに含まれる圧縮機（図示されない）の吸入管における冷媒の圧力を検出する。
【００４０】
また、空調機本体１０ａは、制御部１１を有している。制御部１１は、リモコン７０ａを介して物件２内の一般の利用者から入力された運転指令に従って、空調機本体１０ａの運転を制御する、すなわち、冷媒回路に含まれる圧縮機等の被制御部品の動作を制御する。
【００４１】
制御部１１は、空調機本体１０ａに関する機器データをアダプタ２０ａに送信する。例えば、制御部１１は、所定の間隔（本実施形態では１分）で空調機本体１０ａの運転状態データ（機器データ）をアダプタ２０ａに送信する。運転状態データとは、例えば、各種センサ１２ａ，１２ｂ，１２ｃ，１２ｄ，１２ｅ，・・・の検出値である。また、制御部１１は、リモコン７０ａを介して運転指令が入力されると、直ちに当該入力された運転指令に基づくデータ（機器データ）をアダプタ２０ａに向けて送信する。運転指令に基づくデータとは、例えば、電源のオン・オフ、運転モード（冷房モード、暖房モード、送風モードなど）、設定温度および設定湿度などである。さらに、制御部１１は、所定の間隔（本実施形態では１分）で各種センサ１２ａ，１２ｂ，１２ｃ，１２ｄ，１２ｅ，・・・の検出値を所定の閾値と比較する等し、所定の閾値を超える等の異常を検出した場合には、その旨を示すデータ（機器データ）をアダプタ２０ａに向けて送信する。
【００４２】
また、制御部１１は、アダプタ２０ａから送られてくる制御命令を実行する。アダプタ２０ａから送られてくる制御命令には、例えば、空調機本体１０ａの起動・停止を命じたり、空調機本体１０ａの運転に係る設定温度や設定湿度等の運転設定値の変更を命じたり、機器データをアダプタ２０ａに送るよう命じたりするものがある。
【００４３】
ｂ）リモコン
リモコン７０ａは、空調機本体１０ａに対する運転指令の入力を一般の利用者から受け付けるためのものであり、図３および図４に示すように、通信部７１と、制御部７２と、表示部７３と、入力部７４と、記憶部７５とを有している。リモコン７０ａは、他のリモコン７０ｂ，・・・と並んで壁面に取り付けられている。しかしながら、リモコン７０ａ，７０ｂ，・・・と空調機本体１０ａ，１０ｂ，・・・との対応関係は、設置工事時にメモが取られたり、リモコン７０ａ，７０ｂ，・・・自体に空調機本体１０ａ，１０ｂ，・・・に含まれる室内機の設置場所を記したシールが貼られたりなどの工夫がなされており、どのリモコン７０ａ，７０ｂ，・・・がどの空調機本体１０ａ，１０ｂ，・・・に対応するのかが利用者に確実に分かるように管理されている。
【００４４】
通信部７１は、リモコン７０ａの通信機能を担っており、空調機本体１０ａの制御部１１との通信を可能にしている。
【００４５】
表示部７３は、液晶ディスプレイ等から構成されている。
【００４６】
入力部７４は、十字キー、確定ボタン、運転／停止ボタン、運転切替ボタン、風量調節ボタンおよびキャンセルボタンからなるボタン群である（図４参照）。
【００４７】
制御部７２は、記憶部７５に記憶されている制御プログラムに従って、入力部７４を介して利用者から入力された運転指令を空調機本体１０ａの制御部１１に送信する等、リモコン７０ａ全体の動作を制御する。
【００４８】
また、制御部７２は、空調機５０ａに系統アドレスを付与する機能を有している。なお、系統アドレスとは、ＬＡＮ５ａ上で空調機５０ａを他の空調機５０ｂ，・・・から一意に識別するための情報である。系統アドレス付与機能は、入力部７４を介して空調機５０ａの初期設定を行う作業者から当該機能を実行する旨の入力があった場合に実行される機能である。作業者は、当該機能の実行によって表示部７３上に表示される画面の誘導に従って、空調機５０ａに他の空調機５０ｂ，・・・と重複しないような系統アドレスを決定し、入力部７４を介してリモコン７０ａに入力する。入力された系統アドレスは、通信部７１を介してアダプタ２０ａに送られる。そして、制御部７２は、アダプタ２０ａから系統アドレスをアダプタ２０ａの記憶部２５に登録したとの通知を受け取ると、登録完了の旨とともに登録済みの系統アドレスを確認のために表示部７３上に表示させる。
【００４９】
ｃ）アダプタ
一方、アダプタ２０ａは、空調機本体１０ａをイーサネット（登録商標）に対応したＬＡＮ５ａに接続するためのネットワークアダプタである。なお、空調機本体１０ａに含まれる被制御部品は、専用の通信ネットワーク５ｂを介して内部通信を行っているものとする。
【００５０】
アダプタ２０ａは、通信部２１と、制御部２２と、記憶部２５とを有している。通信部２１は、アダプタ２０ａの通信機能を担っており、ネットワーク５ａ，５ｂ間での通信プロトコルの相違を吸収する。
【００５１】
また、アダプタ２０ａは、ネットワーク５ａ，５ｂ間での通信プロトコルの変換機能の他、空調機本体１０ａを制御する制御機能を有している。記憶部２５には、空調機本体１０ａを制御するための制御データが記憶されており、制御部２２は、当該制御データに従って空調機本体１０ａの制御部１１に制御命令を送信する。例えば、記憶部２５に、毎朝９：００に空調機本体１０ａを起動し、毎晩２１：００に停止させるという運転スケジュールが登録されている場合には、制御部２２は、毎朝９：００に空調機本体１０ａの起動命令を空調機本体１０ａの制御部１１に送信し、毎晩２１：００に空調機本体１０ａの停止命令を空調機本体１０ａの制御部１１に送信する。
【００５２】
なお、記憶部２５に記憶されている運転スケジュール等の制御データに対しては、所定の認証処理を経た後に、インターネット６を介して遠隔管理サーバ３０から、あるいは、ＬＡＮ５ａを介して初期設定ツール６０からアクセス可能になっている。したがって、パスワード等によって認証された者は、記憶部２５に記憶されている空調機本体１０ａの運転スケジュール等の制御データを書き換えることができる。
【００５３】
また、記憶部２５には、機器データ記憶領域２５ａおよび日報データ記憶領域２５ｂが確保されている。機器データ記憶領域２５ａは、空調機本体１０ａの制御部１１から送られてくる空調機本体１０ａに関する機器データを記憶するための領域である。機器データ記憶領域２５ａは、機器データを所定の期間（本実施形態では３０分）分記憶しておくことが可能な程度の記憶容量しか有しておらず、新しい機器データが取得されるたびに、順次、最も古い機器データが消去されてゆくようになっている。
【００５４】
日報データ記憶領域２５ｂには、アダプタ２０ａから遠隔管理サーバ３０に向けて１日１回送信される日報データの元データが記憶されている。日報データとは、１日分の空調機本体１０ａの運転状態や運転履歴をまとめたデータであり、その１日の各種センサ１２ａ，１２ｂ，１２ｃ，１２ｄ，１２ｅ，・・・の検出値の最大値・最小値や、その１日の空調機本体１０ａの累積稼働時間などを含む。日報データ記憶領域２５ｂに記憶されている日報データの元データとは、最終的に遠隔管理サーバ３０に向けて送信されることになる日報データが完成する前の加工途中のデータである。日報データは、所定の間隔（本実施形態では３０分）で機器データ記憶領域２５ａの機器データに基づいて加工されてゆき、１日１回、所定の時間に通信部２１から遠隔管理サーバ３０に向けて送信されることになる。そして、日報データの遠隔管理サーバ３０への送信が完了すると、送信済みの日報データは日報データ記憶領域２５ｂから消去される。すなわち、日報データ記憶領域２５ｂは、新たに次の日の日報データを作成するために明け渡される。
【００５５】
また、制御部２２は、記憶部２５に記憶されている異常検出プログラムに従って、空調機本体１０ａにおける異常検出を行う。すなわち、制御部２２は、所定の間隔（本実施形態では５分）で機器データ記憶領域２５ａの機器データに基づいて、空調機本体１０ａにおける異常の有無を判定する。そして、実際に異常が検出されると、その旨を示すデータに、機器データ記憶領域２５ａに記憶されている過去の所定の期間（本実施形態では３０分）分の機器データを付加した異常発報データを作成し、遠隔管理サーバ３０に向けて直ちに送信する（異常発報）。また、制御部２２は、通信部２１が空調機本体１０ａの制御部１１から異常を検出した旨のデータを受信した場合にも、同様の異常発報データを作成し、遠隔管理サーバ３０に向けて直ちに送信する（異常発報）。
【００５６】
記憶部２５の不揮発性領域には、アダプタ２０ａのＭＡＣアドレスが記憶されている。また、記憶部２５の揮発性領域には、ルータ４０によってアダプタ２０ａに自動的に割り当てられたＩＰアドレスと、リモコン７０ａを介してサービスマン等の作業者により空調機５０ａに付与された系統アドレスとが保存されている。なお、ＭＡＣアドレスも、ＩＰアドレスも、ネットワーク５ａ，６上においてネットワーク機器を一意に識別するための情報である。
【００５７】
〔ルータ〕
ルータ４０は、ＤＨＣＰ機能を有しており、ルータ４０に接続されている各アダプタ２０ａ，２０ｂ，・・・にＩＰアドレスを自動的に割り当てることができる。また、ルータ４０は、ファイアウォール機能を有しており、原則としてＷＡＮ（インターネット６）側からのＬＡＮ５ａ内の機器へのアクセスをブロックする。なお、ＬＡＮ５ａ内の機器からＬＡＮ５ａ外の機器への問い合わせの応答についてはこの限りではない。
【００５８】
〔初期設定ツール〕
次に、図５を参照して、初期設定ツール６０の構成を説明する。初期設定ツール６０は、原則的には空調機５０ａ，５０ｂ，・・・の初期設定時にのみ、サービスマンなどの作業者によってＬＡＮ５ａに接続される機器である。初期設定ツール６０は、Ｗｅｂブラウザのインストールされた通常のパーソナルコンピュータであり、通信部６１と、制御部６２と、表示部６３と、入力部６４と、記憶部６５とを有している。
【００５９】
通信部６１は、初期設定ツール６０の通信機能を担っており、初期設定ツール６０のＬＡＮ５ａおよびインターネット６への接続、すなわち、アダプタ２０ａ，２０ｂ，・・・および遠隔管理サーバ３０との通信を可能にしている。
【００６０】
制御部６２は、通信部６１を介して遠隔管理サーバ３０と通信しながら、空調機５０ａ，５０ｂ，・・・の初期設定を行う。初期設定の詳細については、後述する。
【００６１】
表示部６３は、サービスマンなどの初期設定ツール６０の操作者に視認可能なディスプレイであり、入力部６４は、当該操作者が初期設定ツール６０に対して操作命令を入力する際に用いられる。
【００６２】
〔遠隔管理サーバ〕
図６に示すように、遠隔管理サーバ３０は、通信部３１と、制御部３２と、出力部３３と、入力部３４と、記憶部３５とを有している。
【００６３】
通信部３１は、遠隔管理サーバ３０の通信機能を担っており、遠隔管理サーバ３０のインターネット６への接続、すなわち、空調機５０ａ，５０ｂ，・・・および初期設定ツール６０との通信を可能にしている。
【００６４】
記憶部３５には、空調機５０ａ，５０ｂ，・・・に関する各種データを蓄積するための様々なデータテーブルが定義されている。例えば、記憶部３５には、空調機５０ａ，５０ｂ，・・・から遠隔管理サーバ３０へとインターネット６を介して送られてくる日報データを蓄積する日報データテーブルや、異常発報データを蓄積する異常発報データテーブル等が存在している。空調機５０ａ，５０ｂ，・・・の異常への対処の結果等は、当該異常に係る異常発報データに関連付けられて異常発報データテーブルに記憶される。また、記憶部３５には、機器構成データを格納しておくための機器構成データテーブルも設けられている。機器構成データとは、例えば、空調機本体１０ａ，１０ｂ，・・・に含まれる室外機や室内機の接続構成、機種番号および機器番号、空調機本体１０ａ，１０ｂ，・・・の機器名称、アダプタ２０ａ，２０ｂ，・・・のネットワーク情報、アダプタ２０ａ，２０ｂ，・・・に登録されている空調機本体１０ａ，１０ｂ，・・・の制御データ等であり、空調機５０ａ，５０ｂ，・・・の初期設定時等に初期設定ツール６０から遠隔管理サーバ３０へとインターネット６を介して送られてくる。
【００６５】
なお、記憶部３５内の各データテーブルには、空調機５０ａ，５０ｂ，・・・に関する各種データが当該空調機５０ａ，５０ｂ，・・・のＭＡＣアドレスに関連付けられた態様で記憶される。また、記憶部３５には、空調機５０ａ，５０ｂ，・・・のＭＡＣアドレスと、当該空調機５０ａ，５０ｂ，・・・が設置されている物件２とを対応付けるデータも記憶されている。
【００６６】
また、記憶部３５には、インターネット６を介してアクセスしてきた者を認証するための認証情報も記憶されている。
【００６７】
制御部３２は、記憶部３５に記憶されている空調機５０ａ，５０ｂ，・・・の遠隔管理プログラムを実行する。より具体的には、制御部３２は、インターネット６を介して送られてくる空調機５０ａ，５０ｂ，・・・に関する各種データに基づいて空調機５０ａ，５０ｂ，・・・における異常を検査したり、空調機５０ａ，５０ｂ，・・・の利用者に空調機５０ａ，５０ｂ，・・・の利用態様に関する報告書・提案書を作成したりする。また、遠隔管理サーバ３０を操作して、遠隔管理サーバ３０から空調機５０ａ，５０ｂ，・・・に対して制御命令を送ることも可能である。
【００６８】
出力部３３は、ディスプレイやスピーカ等から構成されており、制御部３２が空調機５０ａ，５０ｂ，・・・における異常を検出した場合には、遠隔管理サーバ３０の側にいる遠隔管理センタ３の職員に向けてその旨を報知する。例えば、空調機本体１０ａにおいて発生した異常の詳細（異常の種別や異常の発生した物件２の名称および住所等）等をディスプレイ上に表示したり、異常が発生した旨を知らせる音声をスピーカから流したりする。
【００６９】
入力部３４は、遠隔管理サーバ３０の操作者が遠隔管理サーバ３０に対して操作命令を入力する際に用いられる。
【００７０】
〔空調機の初期設定〕
以下、図７を参照して、サービスマン等の作業者による空調機５０ａ，５０ｂ，・・・の初期設定の流れを説明する。なお、ここでいう初期設定とは、物件２内に設置済みの空調機５０ａ，５０ｂ，・・・の機器構成データを遠隔管理サーバ３０に登録することをいう。なお、作業者は、以下の設定を開始する前に、各空調機５０ａ，５０ｂ，・・・にそれぞれリモコン７０ａ，７０ｂ，・・・を使って系統アドレスを割り振り、物件２内のどの場所の空調機５０ａ，５０ｂ，・・・にどのような系統アドレスを割り振ったのかについてのメモを取っておく必要がある。遠隔管理システム１内では（より正確には、ネットワーク５ａ，６内では）、空調機５０ａ，５０ｂ，・・・がＭＡＣアドレスによって識別されるからである。以下では、物件２内の古い空調機の一部のみを新しい空調機へと交換した場合を例示する。
【００７１】
まず、ステップＳ２０において、空調機５０ａ，５０ｂ，・・・の初期設定を行う作業者は、初期設定ツール６０上にＷｅｂブラウザを立ち上げ、当該ブラウザ上で遠隔管理サーバ３０のＵＲＬを指定し、遠隔管理サーバ３０にアクセスする。これを受けて、遠隔管理サーバ３０は、アクセス元である初期設定ツール６０のブラウザにログイン画面を送る。当該ログイン画面は、遠隔管理サーバ３０へのアクセス権限を確認するためのＩＤおよびパスワードの入力を作業者に求める画面である。作業者が入力部６４を操作してログイン画面にＩＤ等を入力すると、入力されたＩＤ等は遠隔管理サーバ３０に送られる。遠隔管理サーバ３０側では、制御部３２が、記憶部３５内の認証情報に基づいて、初期設定ツール６０から送られてきたＩＤ等に対して許可されている機能を特定し、当該機能の実行を受け付けるボタン等の配置されたトップ画面を作成する。当該トップ画面は、初期設定ツール６０のＷｅｂブラウザに送られて表示部６３上に表示される。
【００７２】
以下、初期設定ツール６０の処理を担うプログラムは、Ｗｅｂブラウザ上で動作するＪＡＶＡ（登録商標）アプレットとして実装されており、遠隔管理サーバ３０から初期設定ツール６０のＷｅｂブラウザにダウンロードされるものとする。
【００７３】
続いて、ステップＳ２１では、作業者は、トップ画面上のボタンを操作して、空調機５０ａ，５０ｂ，・・・の新規登録画面に進む。なお、新規登録画面は、トップ画面と同様に、遠隔管理サーバ３０から初期設定ツール６０に送られる画面である。
【００７４】
新規登録画面上には、ＬＡＮ５ａに現在接続されている空調機５０ａ，５０ｂ，・・・の検索を受け付ける検索ボタンが設けられている。そして、作業者が当該ボタンを押すと、初期設定ツール６０の制御部６２は、ＬＡＮ５ａに現在接続されている全てのネットワーク機器に対して問い合わせを行い、その応答としてアダプタ２０ａ，２０ｂ，・・・から空調機５０ａ，５０ｂ，・・・のネットワーク情報（ＭＡＣアドレス、ＩＰアドレスおよび系統アドレス）を取得する。当該ネットワーク情報は、初期設定ツール６０の通信部６１からインターネット６を介して遠隔管理サーバ３０の通信部３１へと送信される。
【００７５】
続いて、ステップＳ２２では、遠隔管理サーバ３０の制御部３２が、記憶部３５内の機器構成データテーブルを参照して、ＬＡＮ５ａに以前に接続されていた空調機のネットワーク情報（ＭＡＣアドレス、ＩＰアドレスおよび系統アドレス）および機器名称を取得する。そして、制御部３２は、ＬＡＮ５ａ内の新旧の空調機のネットワーク情報等に基づいて、検索結果画面（図８参照）を作成する。検索結果画面は、ＬＡＮ５ａ内の空調機５０ａ，５０ｂ，・・・の検索結果を表示するとともに、検索された空調機５０ａ，５０ｂ，・・・の機器名称を設定し、これらの空調機５０ａ，５０ｂ，・・・と交換元の空調機とを対応付けるための画面である。
【００７６】
検索結果画面上には、ＬＡＮ５ａに現在接続されている空調機５０ａ，５０ｂ，・・・についての、Ｍ１）機器名称の設定入力を行うための入力ボックスと、Ｍ２）ＭＡＣアドレス表示欄と、Ｍ３）ＩＰアドレス表示欄と、Ｍ４）系統アドレス表示欄と、Ｍ５）登録を行うか否かを選択するためのチェックボックスと、Ｍ６）交換元の空調機を選択するためのプルダウンメニューとが表形式で同時に表示される。当該表の各行は、現在ＬＡＮ５ａ内に存在している各空調機５０ａ，５０ｂ，・・・に１対１で対応している。Ｍ２）〜Ｍ４）のＭＡＣアドレス欄、ＩＰアドレス欄および系統アドレス欄には、ステップＳ２１で検出されたネットワーク情報が表示される。Ｍ６）のプルダウンメニューのプルダウンリストは、以前ＬＡＮ５ａ内に存在していた空調機のＭＡＣアドレスをリスト化したものである。
【００７７】
制御部３２は、図８の検索結果画面の作成に当たり、ＬＡＮ５ａに現在接続されている空調機５０ａ，５０ｂ，・・・のＭＡＣアドレスと、ＬＡＮ５ａに以前に接続されていた空調機のＭＡＣアドレスとを比較する。そして、一致するものがあれば、そのＭＡＣアドレスがＭ２）ＭＡＣアドレス表示欄に表示されている行のＭ６）プルダウンメニューのデフォルト値を、当該ＭＡＣアドレスとする。そして、同じ行のＭ１）機器名称の入力ボックスのデフォルト値を、当該ＭＡＣアドレスに関連付けられて記憶部３５内の機器構成データテーブルに格納されている機器名称とする。Ｍ１）欄およびＭ６）欄のデフォルト値をこのような値とするのは、遠隔管理サーバ３０に登録済みのＭＡＣアドレスを有する空調機５０ａ，５０ｂ，・・・については、以前からＬＡＮ５ａ内に存在していたものと判断し得るからである。一方、遠隔管理サーバ３０に登録されていなかったＭＡＣアドレスを有する空調機５０ａ，５０ｂ，・・・については、新たにＬＡＮ５ａ内に追加されたものと判断し得るため、Ｍ１）欄のデフォルト値は空白となり、Ｍ６）欄のデフォルト値は「該当の機器なし」となる。図８の検索結果画面は、デフォルト画面である。ＭＡＣアドレス「１．００．１ａ」「１．００．１ｃ」「１．００．１ｄ」の空調機は、以前から存在している空調機であり、ＭＡＣアドレス「１．００．１ｂ」の空調機は、以前は存在していなかった空調機である。
【００７８】
そして、当該検索結果画面は、遠隔管理サーバ３０の通信部３１から初期設定ツール６０の通信部６１へと送信され、表示部６３上に表示される。
【００７９】
続いて、ステップＳ２３では、作業者は、入力部６４を操作して、ＬＡＮ５ａ内の現在の空調機５０ａ，５０ｂ，・・・の機器名称、ならびに、これらの空調機５０ａ，５０ｂ，・・・と交換元の空調機との対応関係を検索結果画面上に入力する。
【００８０】
より具体的には、作業者は、事前に用意した空調機５０ａ，５０ｂ，・・・の設置場所と系統アドレスとの対応関係についてのメモを参照しながら、現在ＬＡＮ５ａ内に存在している各空調機５０ａ，５０ｂ，・・・について、Ｍ１）の入力ボックスに適当な機器名称を入力し、Ｍ６）のプルダウンメニューのプルダウンリストの中から正しい交換元の空調機のＭＡＣアドレスを選択する。なお、以前ＬＡＮ５ａ内に存在していた空調機の中に対応付けるべき空調機が存在しない場合には、Ｍ６）のプルダウンメニュー上で「該当の機器なし」を選択する。そして、Ｍ６）のプルダウンメニュー上で別のＭＡＣアドレスを選択するたびに、同じ行のＭ１）の入力ボックス内の値は、当該ＭＡＣアドレスに対応する機器名称へと自動的に更新されるようになっている。なお、当該ＭＡＣアドレスに対応する機器名称は、記憶部３５内の機器構成データテーブルを参照して取得される。
【００８１】
また、空調機の機器名称としては、空調機を認識し易いよう、例えば、「応接室−北」「応接室−南」のように、当該空調機の設置場所を端的に表す名称を付けることが一般的である。
【００８２】
その後、作業者が、Ｍ４）のチェックボックスにチェックを入れた状態で検索結果画面上の「登録」ボタンを押すと、検索結果画面上で作業者が選択した情報のうち、チェックボックスにチェックの入っている空調機５０ａ，５０ｂ，・・・に関する情報のみが、初期設定ツール６０の通信部６１からインターネット６を介して遠隔管理サーバ３０の通信部３１へと送信される。また、「登録」ボタンが押されたときには、制御部６２は、通信部６１を介してＭ１）の入力ボックスに入力された機器名称を、対応するアダプタ２０ａ，２０ｂ，・・・に送信する。一方のアダプタ２０ａ，２０ｂ，・・・は、受け取った機器名称を記憶部２５に登録する。
【００８３】
続くステップＳ２４では、遠隔管理サーバ３０の制御部３２が、引き継ぎデータ選択画面を作成する。引き継ぎデータ選択画面は、交換元の空調機から新たな空調機５０ａ，５０ｂ，・・・へと引き継ぐべきデータの種類の選択を受け付ける画面である。したがって、ステップＳ２３でいずれの空調機５０ａ，５０ｂ，・・・も交換元の空調機と対応付けられなかった場合には、当該ステップＳ２４は省略されることになる。
【００８４】
当該引き継ぎデータ選択画面は、遠隔管理サーバ３０の通信部３１から初期設定ツール６０の通信部６１へと送信され、表示部６３上に表示される。そして、作業者は、引き継ぎデータ選択画面上で、交換元の空調機から引き継ぐべきデータの種類を選択する。もちろん、交換元の空調機に関連付けられている全てのデータを引き継ぐことも可能である。作業者が選択した情報は、初期設定ツール６０の通信部６１からインターネット６を介して遠隔管理サーバ３０の通信部３１へと送信される。
【００８５】
続くステップＳ２５では、ステップＳ２３，２４において作業者が選択した情報が記憶部３５の各種データテーブルに反映される。
【００８６】
より具体的には、このとき、記憶部３５内の機器構成データテーブルに、空調機５０ａ，５０ｂ，・・・の機器名称が空調機５０ａ，５０ｂ，・・・のＭＡＣアドレスに関連付けられて格納される。また、各種データテーブル内のレコードのうち、作業者が引き継ぐことを希望した種類のデータを格納しているレコードのリンク情報が、以前の空調機から現在の空調機のＭＡＣアドレスに書き代えられる。リンク情報とは、各レコードを特定の空調機に対応付けるための情報である。
【００８７】
続く、ステップＳ２６では、初期設定ツール６０は、記憶部３５内の機器構成データテーブルに格納されている運転スケジュール等の空調機本体１０ａ，１０ｂ，・・・の制御データを遠隔管理サーバ３０からダウンロードし、それぞれ対応するアダプタ２０ａ，２０ｂ，・・・の記憶部２５に再登録する。
【００８８】
〔第１実施形態の特徴〕
リモコン７０ａ，７０ｂ，・・・はそれぞれ利用者が空調機５０ａ，５０ｂ，・・・に運転指令を与えるためのものであるから、リモコン７０ａ，７０ｂ，・・・と空調機５０ａ，５０ｂ，・・・とは利用者に分かるような態様で対応付けられている。そして、リモコン７０ａ，７０ｂ，・・・は、空調機５０ａ，５０ｂ，・・・に、空調機５０ａ，５０ｂ，・・・をＬＡＮ５ａ内で識別可能にする系統アドレスを付与できるようになっている。そして、空調機５０ａ，５０ｂ，・・・の機器名称の設定入力を受け付ける初期設定ツール６０は、リモコン７０ａ，７０ｂ，・・・が付与した系統アドレスを取得し、その表示部７３上に表示する。したがって、空調機５０ａ，５０ｂ，・・・の初期設定を行う作業者は、空調機５０ａ，５０ｂ，・・・の系統アドレスを容易に認識し、空調機５０ａ，５０ｂ，・・・の初期設定を正しく行うことができる。
【００８９】
＜第２実施形態＞
続いて、本発明の第２実施形態について説明する。なお、以下では、第１実施形態と共通する部分についての説明を省略する。第１実施形態と第２実施形態との主な違いは、空調機本体１０ａ，１０ｂ，・・・にリモコン７０ａ，７０ｂ，・・・の代わりにリモコン１７０ａ，１７０ｂ，・・・（図９参照）が接続されている点にある。
【００９０】
〔リモコン〕
第２実施形態に係るリモコン１７０ａ，１７０ｂ，・・・は、第１実施形態に係るリモコン７０ａ，７０ｂ，・・・と同様に、それぞれ空調機本体１０ａ，１０ｂ，・・・に対する運転指令の入力を一般の利用者から受け付けるためのものであり、通信部１７１と、制御部１７２と、表示部１７３と、入力部１７４と、記憶部１７５とを有している。リモコン１７０ａの設置態様も、リモコン７０ａと同様である。以下、リモコン１７０ａについてのみ説明するが、他のリモコン１７０ｂ，・・・についても同様である。
【００９１】
通信部１７１は、リモコン１７０ａの通信機能を担っており、空調機本体１０ａの制御部１１との通信を可能にしている。
【００９２】
表示部１７３は、液晶ディスプレイ等から構成されている。
【００９３】
入力部１７４は、十字キー、確定ボタン、運転／停止ボタン、運転切替ボタン、風量調節ボタンおよびキャンセルボタンからなるボタン群である（図１０参照）。
【００９４】
制御部１７２は、記憶部１７５に記憶されている制御プログラムに従って、入力部１７４を介して利用者から入力された運転指令を空調機本体１０ａの制御部１１に送信する等、リモコン１７０ａ全体の動作を制御する。
【００９５】
また、制御部１７２は、アダプタ２０ａからＭＡＣアドレスを取得する機能を有している。ＭＡＣアドレス取得機能は、入力部７４を介して空調機５０ａの初期設定を行う作業者から当該機能を実行する旨の入力があった場合に実行される機能である。当該機能が実行されると、制御部１７２は、通信部１７１を介してアダプタ２０ａの記憶部１７５に記憶されているアダプタ２０ａのＭＡＣアドレスを取得する。続いて、制御部１７２は、アダプタ２０ａから受け取ったアダプタ２０ａのＭＡＣアドレスを利用者に分かるように表示部７３上に表示させる。
【００９６】
〔空調機の初期設定〕
第２実施形態の空調機５０ａ，５０ｂ，・・・の初期設定は、第１実施形態と以下の点で異なる。すなわち、作業者は、ステップＳ２０の前に、リモコン７０ａ，７０ｂ，・・・ではなく初期設定ツール６０を使って空調機５０ａ，５０ｂ，・・・に系統アドレスを割り振っておく。このとき、空調機５０ａ，５０ｂ，・・・の設置場所と系統アドレスとの対応関係を特にメモしておく必要はない。そして、ステップＳ２３においては、作業者は、リモコン１７０ａ，１７０ｂ，・・・の表示部１７３上に表示されている空調機５０ａ，５０ｂ，・・・のＭＡＣアドレスを参照しながら、Ｍ１）の入力ボックスに適当な機器名称を入力し、Ｍ６）のプルダウンメニューのプルダウンリストの中から正しい交換元の空調機のＭＡＣアドレスを選択する。
【００９７】
〔第２実施形態の特徴〕
リモコン１７０ａ，１７０ｂ，・・・はそれぞれ利用者が空調機５０ａ，５０ｂ，・・・に運転指令を与えるためのものであるから、リモコン１７０ａ，１７０ｂ，・・・と空調機５０ａ，５０ｂ，・・・とは利用者に分かるような態様で対応付けられている。そして、リモコン１７０ａ，１７０ｂ，・・・は、それぞれ空調機５０ａ，５０ｂ，・・・のＭＡＣアドレスを空調機５０ａ，５０ｂ，・・・から取得して表示できるようになっている。また、初期設定ツール６０も、空調機５０ａ，５０ｂ，・・・のＭＡＣアドレスを空調機５０ａ，５０ｂ，・・・から取得して表示できるようになっている。したがって、空調機５０ａ，５０ｂ，・・・の初期設定を行う作業者は、空調機５０ａ，５０ｂ，・・・のＭＡＣアドレスをそれぞれリモコン１７０ａ，１７０ｂ，・・・を介して容易に認識し、空調機５０ａ，５０ｂ，・・・の初期設定を正しく行うことができる。
【００９８】
＜その他の実施形態＞
（Ａ）
第１および第２実施形態では、初期設定ツール６０は、空調機５０ａ，５０ｂ，・・・の初期設定のための特別なプログラム等が一切インストールされていない、Ｗｅｂブラウザを有する通常のパーソナルコンピュータとなっており、必要なプログラムは、遠隔管理サーバ３０から初期設定ツール６０にダウンロードされるようになっている。しかしながら、このようなプログラムの全部または一部が、もともと初期設定ツール６０にインストールされていてもよい。
【００９９】
（Ｂ）
第１および第２実施形態において、アダプタ２０ａ，２０ｂ，・・・の有する機能がそれぞれ空調機本体１０ａ，１０ｂ，・・・の制御部１１に搭載されていてもよい。この場合、アダプタ２０ａ，２０ｂ，・・・は不要になる。
【０１００】
（Ｃ）
第１および第２実施形態において、遠隔管理システム１の管理対象となる機器は空調機でなくてもよく、例えば、照明機器、給湯機器、防災設備等の他の種類の設備機器であってもよい。
【０１０１】
（Ｄ）
第１実施形態において、ＬＡＮ５ａ上での空調機５０ａ，５０ｂ，・・・の識別情報は、系統アドレスでなくてもよい。
【０１０２】
また、第２実施形態において、ＬＡＮ５ａ上での空調機５０ａ，５０ｂ，・・・の識別情報は、アダプタ２０ａ，２０ｂ，・・・のＭＡＣアドレスでなくてもよく、例えば、空調機本体１０ａ，１０ｂ，・・・の（制御部１１の）ＭＡＣアドレスであってもよい。また、空調機本体１０ａ，１０ｂ，・・・を束ねるゲートウェイが存在している場合には、当該ゲートウェイのＭＡＣアドレスが用いられてもよい。さらに、ＭＡＣアドレスではなく、ＩＰアドレスが用いられてもよい。
【０１０３】
（Ｅ）
第１および第２実施形態では、初期設定時に初期設定ツール６０を操作して空調機本体１０ａ，１０ｂ，・・・を試運転させることもできる。例えば、ステップＳ２３の後に実際に空調機本体１０ａ，１０ｂ，・・・を動作させてみることにより、各空調機本体１０ａ，１０ｂ，・・・に対する設定内容が正しいか否かを確かめることができる。
【０１０４】
（Ｆ）
第１および第２実施形態において、空調機５０ａ，５０ｂ，・・・の初期設定時に、空調機５０ａ，５０ｂ，・・・が必ずしも遠隔管理サーバ３０に接続されている必要はなく、遠隔管理サーバ３０の機能の全部又は一部が初期設定ツール６０に搭載されていてもよい。また、反対に、空調機５０ａ，５０ｂ，・・・の初期設定時に、空調機５０ａ，５０ｂ，・・・が必ずしも初期設定ツール６０に接続されている必要はなく、初期設定ツール６０の機能の全部又は一部が遠隔管理サーバ３０に搭載されていてもよい。
【０１０５】
（Ｇ）
第１実施形態における系統アドレス付与機能が以下のようなものになっていてもよい。
【０１０６】
すなわち、系統アドレス付与機能の実行が作業者により指示されると、制御部７２は、空調機本体１０ａの制御部１１とアダプタ２０ａとを経由してＬＡＮ５ａ内の空調機５０ａ，５０ｂ，・・・を検索する。より具体的には、ＬＡＮ５ａに現在接続されている全てのネットワーク機器に対して問い合わせを行い、その応答としてアダプタ２０ａ，２０ｂ，・・・から空調機５０ａ，５０ｂ，・・・のネットワーク情報（ＭＡＣアドレス、ＩＰアドレスおよびあれば他の空調機５０ｂ，・・・系統アドレス）を取得する。取得したネットワーク情報は、表示部７３上に表示される。続いて、作業者は、表示部７３上に表示された他の空調機５０ｂ，・・・の系統アドレスを参考にしつつ、空調機５０ａに他の空調機５０ｂ，・・・と重複しないような系統アドレスを決定し、入力部７４を介してリモコン７０ａに入力する。入力された系統アドレスは、通信部７１を介してアダプタ２０ａに送られる。そして、制御部７２は、アダプタ２０ａから系統アドレスをアダプタ２０ａの記憶部２５に登録したとの通知を受け取ると、登録完了の旨とともに登録済みの系統アドレスを確認のために表示部７３上に表示させる。
【産業上の利用可能性】
【０１０７】
本発明は、設備機器の管理ネットワーク上の識別情報を容易に認識し、設備機器の初期設定を正しく行うことができるという効果を有し、設備機器の初期設定システムおよび設備機器のリモコンとして有用である。
【図面の簡単な説明】
【０１０８】
【図１】本発明の第１実施形態に係る遠隔管理システムの構成図。
【図２】空調機の構成図。
【図３】第１実施形態に係るリモコンの構成図。
【図４】第１実施形態に係るリモコンの外観図。
【図５】初期設定ツールの構成図。
【図６】遠隔管理サーバの構成図。
【図７】第１実施形態に係る空調機の初期設定の流れを示す図。
【図８】検索結果画面を示す図。
【図９】第２実施形態に係るリモコンの構成図。
【図１０】第２実施形態に係るリモコンの外観図。
【符号の説明】
【０１０９】
１  遠隔管理システム
５ａ  ＬＡＮ
６  インターネット
５０ａ，５０ｂ，・・・  空調機
６０  初期設定ツール
６１  通信部
６２  制御部
６３  表示部
６４  入力部
７０ａ，７０ｂ，・・・  リモコン
７１  通信部
７２  制御部
７３  表示部
【図１】
2009088786.tif 000003
【図２】
2009088786.tif 000004
【図３】
2009088786.tif 000005
【図４】
2009088786.tif 000006
【図５】
2009088786.tif 000007
【図６】
2009088786.tif 000008
【図７】
2009088786.tif 000009
【図８】
2009088786.tif 000010
【図９】
2009088786.tif 000011
【図１０】
2009088786.tif 000012